(57)【特許請求の範囲】
【請求項１】
ハンドピース本体内に、ステータと該ステータ内で回転するロータとからなるモータを有し、該ロータによって回転される回転軸に切削バーを着脱自在に装着して歯牙の治療を行なう歯科用マイクロエンジンハンドピースにおいて、前記ロータは、該ロータに一体的に取り付けられた管状スリーブを有し、該管状スリーブの外表面に螺旋状の溝又は突起を有することを特徴とする歯科用マイクロエンジンハンドピース。
【請求項２】
ハンドピース本体内に、ステータと該ステータ内で回転するロータとからなるモータを有し、該ロータによって回転される回転軸に切削バーを着脱自在に装着して歯牙の治療を行なう歯科用マイクロエンジンハンドピースにおいて、前記ロータは、該ロータに一体的に取り付けられた管状スリーブを有し、該管状スリーブは、その外表面に軸方向に延長する数条の溝を有し、該溝は前記管状スリーブの一端側において開口し、他端側において隣接する溝とループ状に連通していることを特徴とする歯科用マイクロエンジンハンドピース。
【請求項３】
ハンドピース本体内に、ステータと該ステータ内で回転するロータとからなるモータを有し、該ロータによって回転される回転軸に切削バーを着脱自在に装着して歯牙の治療を行なう歯科用マイクロエンジンハンドピースにおいて、前記ロータは、該ロータに一体的に取り付けられた管状スリーブを有し、該管状スリーブは、その外表面に軸方向に延長する数条の突起を有し、該突起は前記管状スリーブの一端部において終端し、他端側において隣接する突起とループ状に連続して折り返されていることを特徴とする歯科用マイクロエンジンハンドピース。
【請求項４】
ハンドピース本体内に、ステータと該ステータ内で回転するロータとからなるモータを有し、該ロータによって回転される回転軸に切削バーを着脱自在に装着して歯牙の治療を行なう歯科用マイクロエンジンハンドピースにおいて、前記ロータは、該ロータに一体的に取り付けられた外表面がテーパ状の管状スリーブを有することを特徴とする歯科用マイクロエンジンハンドピース。
【請求項５】
前記ロータに一体的に取り付けられたテーパ状管状スリーブは、その外表面に軸方向に延長する数条の溝を有し、該溝は前記テーパ状管状スリーブの大径側端部において開口し、小径側端部において隣接する溝とループ状に連通していることを特徴とする請求項４に記載の歯科用マイクロエンジンハンドピース。
【請求項６】
前記ロータに一体的に取り付けられたテーパ状管状スリーブは、その外表面に軸方向に延長する数条の突起を有し、該突起は前記テーパ状管状スリーブの大径側端部において終端し、小径側端部において隣接する突起とループ状に連続して折り返されていることを特徴とする請求項４に記載の歯科用マイクロエンジンハンドピース。
【請求項７】
ハンドピース本体内に、ステータと該ステータ内で回転するロータとからなるモータを有し、該ロータによって回転される回転軸に切削バーを着脱自在に装着して歯牙の治療を行なう歯科用マイクロエンジンハンドピースにおいて、前記ステータの内壁面に一体的に取り付けられた管状スリーブを有し、該管状スリーブの内表面に螺旋状の溝又は突起を有することを特徴とする請求項１乃至６のいずれかに記載の歯科用マイクロモータエンジンハンドピース。
【発明の詳細な説明】
【０００１】
【発明の属する技術分野】
本発明は、歯科用マイクロエンジンハンドピース、より詳細には、ハンドピース本体内に配設されたモータ内に、該モータのロータの回転によって空気流を発生させ、この空気流によってモータのステータの過熱を抑止し、結果的に、ハンドピースの加熱を抑止するようにした歯科用マイクロエンジンハンドピースに関する。
【０００２】
【従来の技術】
図５は、本発明が適用される一例としてのマイクロエンジンハンドピースの一例を示す分解斜視図で、図中、１はマイクロモータが収容されているモータ部、２はシャンク部、３はヘッド部で、通常、これらは一体的に連結されている。モータ部１内のマイクロモータは、ホース４内に配設された電源線を通して供給される電力によって回転され、その回転が、回転軸５、シャンク部２内の動力伝達軸（図示せず）を介してヘッド部３の回転軸６に伝達され、歯牙切削バー７を回転するようになっている。
【０００３】
モータ１０は、図６に示すように、例えば、回転磁界を発生するためのステータ１１と該ステータ１１内にあって前記回転磁界の回転に追従して回転するロータ１２とから成り、該ロータ１２の回転が回転軸５を通して取り出されるものであるが、前記回転磁界を発生するために、前記ステータ１１には回転磁界発生用のコイル１１ａが巻回されている。而して、上記歯科治療用マイクロエンジンは、モータ部１内にマイクロモータを内蔵し、該マイクロモータの回転を切削バー７に伝達して歯牙等の切削を行うものであるが、歯科治療時、術者がモータ部１及びシャンク部２を手に持って施術するものであるため、モータ部の温度上昇を抑えるようにしている。
【０００４】
歯科用マイクロエンジンハンドピースは、前述のように、ハンドピース本体内にマイクロモータを有し、このマイクロモータの回転をヘッド部内の回転筒に伝達し、この回転筒と一体のチャック機構に着脱自在に装着した切削バーを回転し、歯牙の切削等の治療等を行うものであるが、モータ部やシャンク部の温度上昇を抑えるために、前記マイクロモータを強制的に空気冷却しているものがある。しかし、マイクロモータを強制冷却するための圧縮空気は、別の場所に設置されたコンプレッサから供給されるので、このコンプレッサがないと使用できない。
【０００５】
一方、最近では、病人、寝たきり老人等、身体不自由者を術者が訪問して診療することが頻繁に行なわれているが、その際、歯科治療器具とともにコンプレッサも一緒に携帯して訪問するが、このコンプレッサが大きくかつ重量もあり、持ち運びに不便であった。
【０００６】
【発明が解決しようとする課題】
本発明は、上述のごとき実情に鑑みてなされたもので、特に、歯科用マイクロエンジンハンドピース本体を、該ハンドピース本体内に設けたモータの回転によって発生される空気流によって冷却するようにし、これによって、その分（すなわち、マイクロエンジンハンドピースを強制冷却するのに必要とされる分）、コンプレッサの大きさ、重量を軽減して、訪問診療をより簡便に行い得るようにすることを目的としてなされたものである。
【０００７】
【課題を解決するための手段】
請求項１の発明は、ハンドピース本体内に、ステータと該ステータ内で回転するロータとからなるモータを有し、該ロータによって回転される回転軸に切削バーを着脱自在に装着して歯牙の治療を行なう歯科用マイクロエンジンハンドピースにおいて、前記ロータは、該ロータに一体的に取り付けられた管状スリーブを有し、該管状スリーブの外表面に螺旋状の溝（凹部）又は突起（凸部）を有することを特徴としたものである。
【０００８】
請求項２の発明は、ハンドピース本体内に、ステータと該ステータ内で回転するロータとからなるモータを有し、該ロータによって回転される回転軸に切削バーを着脱自在に装着して歯牙の治療を行なう歯科用マイクロエンジンハンドピースにおいて、前記ロータは、該ロータに一体的に取り付けられた管状スリーブを有し、該管状スリーブは、その外表面に軸方向に延長する数条の溝（凹部）を有し、該溝は前記管状スリーブの一端側において開口し、他端側において隣接する溝とループ状に連通していることを特徴としたものである。
【０００９】
請求項３の発明は、ハンドピース本体内に、ステータと該ステータ内で回転するロータとからなるモータを有し、該ロータによって回転される回転軸に切削バーを着脱自在に装着して歯牙の治療を行なう歯科用マイクロエンジンハンドピースにおいて、前記ロータは、該ロータに一体的に取り付けられた管状スリーブを有し、該管状スリーブは、その外表面に軸方向に延長する数条の突起（凸部）を有し、該突起は前記管状スリーブの一端部において終端し、他端側において隣接する突起とループ状に連続して折り返されていることを特徴としたものである。
【００１０】
請求項４の発明は、ハンドピース本体内に、ステータと該ステータ内で回転するロータとからなるモータを有し、該ロータによって回転される回転軸に切削バーを着脱自在に装着して歯牙の治療を行なう歯科用マイクロエンジンハンドピースにおいて、前記ロータは、該ロータに一体的に取り付けられた外表面がテーパ状の管状スリーブを有することを特徴としたものである。
【００１１】
請求項５の発明は、請求項４の発明において、前記ロータに一体的に取り付けられたテーパ状管状スリーブは、その外表面に軸方向に延長する数条の溝を有し、該溝は前記テーパ状管状スリーブの大径側端部において開口し、小径側端部において隣接する溝とループ状に連通していることを特徴としたものである。
【００１２】
請求項６の発明は、請求項４の発明において、前記ロータに一体的に取り付けられたテーパ状管状スリーブは、その外表面に軸方向に延長する数条の突起を有し、該突起は前記テーパ状管状スリーブの大径側端部において終端し、小径側端部において隣接する突起とループ状に連続して折り返されていることを特徴としたものである。
【００１３】
請求項７の発明は、請求項１乃至６のいずれかの発明において、ハンドピース本体内に、ステータと該ステータ内で回転するロータとからなるモータを有し、該ロータによって回転される回転軸に切削バーを着脱自在に装着して歯牙の治療を行なう歯科用マイクロエンジンハンドピースにおいて、前記ステータの内壁面に一体的に取り付けられた管状スリーブを有し、該管状スリーブの内表面に螺旋状の溝又は突起を有することを特徴としたものである。
【００１４】
【発明の実施の形態】
図１は、本発明による歯科用マイクロエンジンハンドピースに用いられるモータの一実施例を説明するための要部概略構成図で、同図は、本発明によるモータ１０の一部を切り欠き、内部のロータが見えるようにした図で、本発明においては、ハンドピース本体内には、モータ１０が配設されており、このモータ１０のステータ１１には、界磁巻線１１ａが巻回されており、該界磁巻線１１ａによって形成される回転磁界内には永久磁石よりなるロータ１２が回転自在に設けられている。このロータ１２は、周知のように、ステータ側界磁巻線１１ａに通電して回転磁界を発生させると、その回転磁界に追従して回転するもので、この回転を、周知の回転伝達機構を介してヘッド部に導き、該ヘッド部に着脱自在に装着された刃物（バー）を回転するようにしている。
【００１５】
図１に示した実施例は、ロータ１２の外表面に、螺旋状の溝１３ａを設けた、管状のスリーブ１３を嵌合又は接着等によって被着したもので、この状態でロータ１２を矢印Ａ方向に回転させると、矢印Ｂ方向への空気流が発生し、この空気流により、該ステータ１１の界磁巻線１１ａに流れる界磁電流によって発生する熱を、該モータ１０より外部に流出させることができ、該ハンドピース本体１０の温度上昇を抑えることができる。
【００１６】
前記管状スリーブ１３は非磁性体からなる（例えば、合成樹脂製の）スリーブで、該管状スリーブ１３の表面には、前述のごとき螺旋状の溝１３ａが設けられている。従って、ステータ１１の界磁巻線１１ａに通電して回転磁界を発生させると、ロータ１２は、従来より周知のモータと全く同様に回転するが、その際、ロータ１２の回転によって、該管状スリーブ１３の溝１３ａ内に空気流が発生し、ロータ１２が矢印Ａ方向に回転すると、溝１３ａ内に矢印Ｂ方向の空気流が発生し、ステータ１１とロータ１２間の空気が矢印Ｂ方向に放出される。すなわち、ステータ１１の界磁巻線１１ａを通電することによって生じる熱は、ロータ１２の回転によって放出され、ハンドピース本体が熱くなるようなことはない。
【００１７】
図２は、図１に示した管状スリーブ１３の表面に形成された溝（凹部）１３ａを突起（凸部）１３ｂに変えたもので、図２に示すよう、管状スリーブ１３１の表面に突起１３ｂを設けたもので、このようにしても、ロータ１２を矢印Ａ方向に回転すると、モータ１０内に矢印Ｂ方向への空気流が発生し、モータ１０内のステータ１１とロータ１２間の熱を奪い去り、ハンドピース本体の熱上昇を抑えることができる。
【００１８】
図２に示した実施例には、ステータ１１側の内壁面にも、螺旋状の溝を設けた例を示しており、この場合は、非磁性体の管状スリーブ１４の内表面に螺旋状の溝１４ａを設け、この管状スリーブ１４をステータ１１の内壁面に被着した例を示しているが、溝１４ａに代って、突起を設けてもよいことは容易に理解できよう。なお、このステータ側の螺旋溝又は突起は必ずしも必要なものではなく、もし、設けるならば、空気流と同方向（Ｂ方向）へ流れやすい溝又は突起とする。
【００１９】
図１、図２に示した螺旋状溝又は螺旋状突起によると、ロータ１２の回転方向が逆転すれば、空気の流れ方向も逆転してしまい、モータを正逆回転して使用する場合等においては不便である。
【００２０】
図３に示した実施例は、ロータの正逆回転にかかわらず、いつも同方向の空気流を発生させるようにした場合の一例を説明するための要部構成図で、この実施例の場合、ロータ１２に被着される管状スリーブ１３２の表面には、該スリーブ１３２の軸方向に延長する数条の溝１３ａが設けられており、この溝１３ａの一端は、スリーブ１３２の一端１３ａ１側で開口し、他端１３ａ２側で隣接する溝にループ状に連通されている。従って、この場合、ロータ１２を正逆いずれの方向に回転しても、空気流は矢印Ｂ方向に発生する。なお、前記溝１３ａに代って突起１３ｂとしてもよいことは容易に理解できよう。
【００２１】
図４は、モータを正逆回転させても、空気流の方向を一定方向にする他の実施例を示す図で、図４に示した実施例においては、管状スリーブ１３３は、外表面がテーパ状に形成されており、該テーパ状管状スリーブ１３３をロータ１２に被着して該ロータ１２を回転すると、該スリーブ１３３の表面には、小径側１３３ｂから大径側１３３ａへ流れる空気流Ｂが発生し、この空気の流れ方向Ｂはロータ１２の回転方向を正逆回転しても同じである。なお、このテーパ状管状スリーブ１３３の表面に、図３に関して説明したような、軸方向に延長する溝又は突起を設けることも可能であり、このようにすれば、更に効果的にハンドピースを冷却することができる。
【００２２】
【発明の効果】
以上の説明から明らかなように、本発明によると、歯科用マイクロエンジンハンドピース内に設けられたモータの過熱を、該モータの回転を利用して効果的に空気流を発生させ、この空気流によって自己冷却するようにしたので、従来、外部に設けられたコンプレッサーからの圧縮空気を利用していたのに対し、この外部コンプレッサーを不要とし、モータ単体で使用することができ、持ち運びや現場での設置作業が非常に楽になる。特に、訪問診療の時など、持ち運ぶコンプレッサーを小型、軽量にすることができる。また、医院内で用いる場合でも、エアータービンに代って、本発明による自己冷却機能を有するマイクロエンジンハンドピースを使用することにより、コンプレッサーの容量を小さくすることができる。
【図面の簡単な説明】
【図１】本発明のマイクロエンジンハンドピースに搭載されて使用される自己冷却型モータの一実施例を説明するための一部切断要部構成図である。
【図２】自己冷却型モータの他の実施例を説明するための要部断面図である。
【図３】自己冷却型モータの更に他の実施例を説明するためのロータ部構成図である。
【図４】自己冷却型モータの更に他の実施例を説明するためのロータ部の他の構成例を示す図である。
【図５】本発明が適用されるマイクロエンジンハンドピースの一例を説明するための要部分解斜視図である。
【図６】従来のマイクロエンジンハンドピースに用いられるモータの一例を説明するための要部概略構成図である。
【符号の説明】
１…モータ部、２…シャンク部、３…ヘッド部、４…ホース、５，６…回転軸、７…切削バー、１０…モータ、１１…ステータ、１２…ロータ、１３，１３１，１３２，１３３…管状スリーブ、１３ａ，１４ａ…溝（凹部）、１３ｂ…突起（凸部）、１４…ステータ側管状スリーブ。
【図１】
0003625802.tif 000002
【図２】
0003625802.tif 000003
【図３】
0003625802.tif 000004
【図４】
0003625802.tif 000005
【図５】
0003625802.tif 000006
【図６】
0003625802.tif 000007